(57)【特許請求の範囲】
【請求項１】
デジタルミキシングコンソールの入力マトリクスに接続される各種入力機器と、
前記入力マトリクスを介して受け取った前記各種入力機器からの信号を処理する信号処理部と、
前記信号処理部を介して受け取った前記各種入力機器からの信号により、前記各種入力機器がＡ／Ｄコンバータ付リモートヘッドアンプか否か判断し、Ａ／Ｄコンバータ付リモートヘッドアンプであると判断したときにはこのＡ／Ｄコンバータ付リモートヘッドアンプに対し利得調整用の制御信号を与え、Ａ／Ｄコンバータ付リモートヘッドアンプでないと判断したときには前記信号処理部に利得調整用の制御信号を与える制御手段と、
を備えてなることを特徴とする入力機器制御装置。
【請求項２】
前記制御手段はＡ／Ｄコンバータ付リモートヘッドアンプでない、あるいはＡ／Ｄコンバータ付リモートヘッドアンプが接続されていないと判断したときには対応するＡ／Ｄコンバータ付リモートヘッドアンプからマイクへ供給する電源の送出を抑止する信号を与えることを特徴とする請求項１記載の入力機器制御装置。
【請求項３】
前記制御手段は、Ａ／Ｄコンバータ付リモートヘッドアンプから出力されるシリアル信号フレームの所定のビットによりＡ／Ｄコンバータ付リモートヘッドアンプか否かを判断し、前記制御信号の特定のビットに音量調整用の情報を書き込み、この制御信号を前記Ａ／Ｄコンバータ付リモートヘッドアンプに与えることを特徴とする請求項１または２に記載の入力機器制御装置。
【発明の詳細な説明】
【０００１】
【発明の属する技術分野】
本発明は各種放送用、レコーディング用スタジオ等において、オーディオ信号の処理、調整を行うデジタルミキシングコンソールに関し、詳しくはＡ／Ｄコンバータ付リモートヘッドアンプ等の入力機器の利得を制御するための入力機器制御装置に関する。
【０００２】
【従来の技術】
デジタルミキシングコンソールに接続される入力機器は、直接デジタル出力を行う、例えばＣＤやＤＡＴといったものや、テープレコーダ、マイクといったアナログ出力によるもの等様々であるが、例えば図５に示すように入力マトリクス２に対しデジタル出力の入力機器は直接接続し、マイク等のアナログ出力の入力機器はＡ／Ｄコンバータ付リモートヘッドアンプ３やＡ／Ｄコンバータ４を介して接続されている。
【０００３】
ところで、マイクのような各入力機器の出力レベルは一定でないため、ミキシングコンソール内での処理に適する所定のレベルに調整する必要がある。このため、従来よりＡ／Ｄコンバータ付リモートヘッドアンプ３に対し、利得調整用信号を与え、それ以外のアナログ機器やデジタル出力の入力機器には、信号処理部５の各入力ユニット５１〜５ｎに対し、所定のレベルになるよう音量調整用の制御信号を制御部１より与え、この信号に応じたデジタル処理により入力レベルが概ね均一となるようにしていた。
【０００４】
また、Ａ／Ｄコンバータ付リモートヘッドアンプ３に接続されるアナログ機器にはコンデンサマイク等のように電源を必要とするものがある。このため、電源部１ａより給電線７を介してＡ／Ｄコンバータ付リモートヘッドアンプ３にアンプ用その他の電源を供給しているが、このＡ／Ｄコンバータ付リモートヘッドアンプ３内の電源回路３ａから切換手段により電源の必要なコンデンサマイク等に給電７ａを行うという操作が行われていた。
【０００５】
【発明が解決しようとする課題】
しかしながら、入力マトリクス２に接続されているＡ／Ｄコンバータ付リモートヘッドアンプ３を入力マトリクスの他の入力に接続したり、Ａ／Ｄコンバータ４と交換した場合には制御部１の利得設定用信号の出力先の設定を変更しなければならなくなる。
【０００６】
一方、Ａ／Ｄコンバータ付リモートヘッドアンプ３の出力が、対応する入力マトリクスに接続されていない場合や、他の機器が接続されていた場合にはこの対応するＡ／Ｄコンバータ付リモートヘッドアンプ３に電源を必要とする装置が接続されているか否かが不明な場合があり、仮に他の機器や電源を要しないマイクが接続され、Ａ／Ｄコンバータ付リモートヘッドアンプ３から電源が供給されたり、他の機器に制御信号が与えられると、そのマイクを破損したり、他の機器が誤動作を起こす原因となる。
【０００７】
この発明はかかる点に鑑みなされたもので、その目的とするところは、マイクなどのアナログ入力機器からの信号のレベルは、ミキシングコンソールからアナログ側で音量調整させることにより、適切な音量調整を可能とし、他の入力機器からの信号レベルはデジタル側で音量調整を行う動作を自動的に切り換えることの可能なデジタルミキシングコンソールの入力機器制御装置を提供することにある。
【０００８】
また、他の目的は電源が必要でない機器にＡ／Ｄコンバータ付リモートヘッドアンから誤って電源が供給され、あるいは、他の機器に電源制御用の信号が送出されることで誤動作することを防止し、マイクなどの機器の破損を未然に防ぐことの可能なデジタルミキシングコンソールの入力機器制御装置を提供することにある。
【０００９】
【課題を解決するための手段】
上記課題を解決すべく請求項１の発明は、デジタルミキシングコンソールの入力マトリクスに接続される各種入力機器と、前記入力マトリクスを介して受け取った前記各種入力機器からの信号を処理する信号処理部と、前記信号処理部を介して受け取った前記各種入力機器からの信号により、前記各種入力機器がＡ／Ｄコンバータ付リモートヘッドアンプか否か判断し、Ａ／Ｄコンバータ付リモートヘッドアンプであると判断したときにはこのＡ／Ｄコンバータ付リモートヘッドアンプに対し利得調整用の制御信号を与え、Ａ／Ｄコンバータ付リモートヘッドアンプでないと判断したときには前記信号処理部に利得調整用の制御信号を与える制御手段とを備えてなることを特徴とする入力機器制御装置である。
請求項２の発明は、請求項１記載の入力機器制御装置において、前記制御手段はＡ／Ｄコンバータ付リモートヘッドアンプでない、あるいはＡ／Ｄコンバータ付リモートヘッドアンプが接続されていないと判断したときには対応するＡ／Ｄコンバータ付リモートヘッドアンプからマイクへ供給する電源の送出を抑止する信号を与えることを特徴とする。
請求項３の発明は、請求項１または２に記載の入力機器制御装置において、前記制御手段は、Ａ／Ｄコンバータ付リモートヘッドアンプから出力されるシリアル信号フレームの所定のビットによりＡ／Ｄコンバータ付リモートヘッドアンプか否かを判断し、前記制御信号の特定のビットに音量調整用の情報を書き込み、この制御信号を前記Ａ／Ｄコンバータ付リモートヘッドアンプに与えることを特徴とする。
【００１０】
【発明の実施の形態】
次に本発明の実施の形態について図を参照しつつ説明する。図１は本発明にかかる入力機器制御装置の基本構成を示すブロック図である。図において、１は各種切換スイッチ、フェーダー等の音量調整ボリウム等を有し、入力マトリクス２や信号処理部５の制御を行う制御部、１ａはＡ／Ｄコンバータ付リモートヘッドアンプ３に電源を供給するための電源部である。また、２は入力マトリクス、３はＡ／Ｄコンバータ付リモートヘッドアンプ、３ａはＡ／Ｄコンバータ付リモートヘッドアンプ３内の電源回路、４はＡ／Ｄコンバータ、５は制御部１からの指示により、音量調整、ミキシング、定位等の処理を行う信号処理部、６は制御線、７は給電線である。
【００１１】
しかして、図示しないマイクその他の各種入力機器から出力されるアナログ信号Ａ−ＳＩＧはリモートヘッドアンプ３あるいはＡ／Ｄコンバータ４等の入力機器を介してデジタル信号Ｄ−ＳＩＧに変換された後、デジタルミキシングコンソールの入力マトリクス２に入力される。なお、デジタル信号Ｄ−ＳＩＧを直接出力する入力機器（ＣＤ，ＤＡＴ等）の出力はそのまま入力マトリクス２に入力される。入力マトリクス２では制御部１のスイッチその他の操作により必要な入力が指示されると、その制御信号が入力マトリクス２に送出される。これにより、入力マトリクス２は、必要な入力を信号処理部５の各入力ユニット５１〜５ｎに対し接続する。各入力ユニット５１〜５ｎに入力されたオーディオ信号はＤＳＰ等を用いたデジタル信号処理手段により、ミキシング、レベル調整、定位等の必要な処理を受けて、放送用等の出力として送出される。
【００１２】
各種入力機器からのデジタル信号Ｄ−ＳＩＧは信号線の数が少なくて済むことからシリアル伝送方式で出力される。また、前記Ａ／Ｄコンバータ付リモートヘッドアンプ３は、デジタルオーディオ信号を出力する他、そのデジタル信号の送受信ポートを使用して、制御信号の授受を行うことができる。この制御信号は例えばＡ／Ｄコンバータ付リモートヘッドアンプ３のオン・オフや音量の調整、エラー信号の送出等があるが、この制御信号は通常オーディオ信号とともに送出される。
【００１３】
そして、本発明においてはリモートヘッドアンプ３よりその機器のコードが制御信号、つまり接続データ信号６ｂとして送出される。信号処理部５の入力ユニット５１がこのコードを検出すると、Ａ／Ｄコンバータ付リモートヘッドアンプ３からの接続データ信号６ｂを制御部に送出する。制御部１はこのデータ信号６ｂを受信すると、あるいはデータ信号６ｂが所定の時間内に受信できないことで、それがＡ／Ｄコンバータ付リモートヘッドアンプ３か否かを判断し、リモートヘッドアンプ３であると判断した場合には、このＡ／Ｄコンバータ付リモートヘッドアンプ３に対し制御線６を介して利得（音量）調整用の制御信号６ａを送出し、適切なゲインとなるように制御する。一方、Ａ／Ｄコンバータ付リモートヘッドアンプ３でないと判断した場合には、信号処理部５の対応する（そのヘッドアンプからの信号が入力される）入力ユニット５１〜５ｎに対し制御線６より利得（音量）調整用の信号６ａを送出する。
【００１４】
このようにして、自動的に適切な箇所での音量調整が間違いなく行え、接続されるアナログ機器の性能を十分に発揮できる。
【００１５】
次に本発明の他の実施の形態について説明する。図２は本発明の他の実施の形態である入力機器制御装置の基本構成を示すブロック図である。基本構成および各構成要素は図１と同一であり、同一構成要素には同一符号を付し、説明を省略する。
【００１６】
この例では、Ａ／Ｄコンバータ付リモートヘッドアンプ３は入力マトリクス２に接続されていない。このため、制御部１は所定の位置にある機器がＡ／Ｄコンバータ付リモートヘッドアンプ３か確認できない。また、この状態ではＡ／Ｄコンバータ付リモートヘッドアンプ３に接続されているマイク等のアナログ機器が給電を必要とするものか否かが不明である。しかしながら、制御線６は接続されているため、誤って切換手段ＳＷ０を動作させ電源回路３ａからアナログ機器に対して給電７ａを行う恐れがある。さらに、Ａ／Ｄコンバータ付リモートヘッドアンプ３以外の機器であった場合には誤動作する恐れもある。
【００１７】
このため、制御部１は上記と同様の手段により、入力マトリクス２に接続されている機器がＡ／Ｄコンバータ付リモートヘッドアンプ３でないと判断したか、あるいは接続されていないと判断した場合は、マイクへ供給する電源の送出を抑止する信号６ｃを与える。つまり、電源回路３ａから給電７ａを行うための切換手段ＳＷ０の動作を禁止する制御信号６ｃを、このＡ／Ｄコンバータ付リモートヘッドアンプ３に対し送出し、誤作動を防止する。これにより、電源の必要のない機器に給電７ａされたり、誤作動による破損などが防止できる。
【００１８】
【実施例】
次に、Ａ／Ｄコンバータ付リモートヘッドアンプ３のより具体的な構成を図３に示して説明する。図中３１はアナログ／デジタル変換を行うＡ／Ｄコンバータ、３２は可変利得アンプ、３３は絶縁用のトランス、ＳＷ０は切換手段である。
【００１９】
アナログ信号は絶縁トランス３３を介して可変利得アンプ３２で所定のレベルに増幅された後、Ａ／Ｄコンバータ３１でＡ／Ｄ変換され、デジタル信号として出力される。そして可変利得アンプ３２と切換手段ＳＷ０は制御線６を介して制御部１から送られてきた制御信号により制御される。また、このＡ／Ｄコンバータ付リモートヘッドアンプ３内には電源回路３ａがあり給電線７から送られてきた電源を所定の電圧調整や安定化等を行いマイク供給用電源、アナログ回路用電源、デジタル回路用電源として供給する。
【００２０】
次に、リモートヘッドアンプ３からのオーディオ信号と制御信号の具体的な例についてＡＥＳ／ＥＢＵの場合を例に挙げて説明する。図４はリモートヘッドアンプ３から送られてくる信号のフォーマットを示したもので、シリアルデータの１フレーム分が示されている。そして、周知のようにこのようなフレームデータが複数（例えば１〜１９２）集合して１ブロックのデータとなる。
【００２１】
このフォーマットはＡＥＳ３−１９９２（Audio Engineering Society)に基づくもので、ビット０〜３が同期のために使用される特定のパターンのプリアンブル、ビット４〜２７はオーディオサンプルワードで、デジタルオーディオサンプルの大きさを表す最下位ビットから最上位ビットまで格納される。なお、ＡＵＸは場合により使用される補助サンプルビットである。Ｖは有効ビットでオーディオサンプルビットがアナログオーディオ信号に適しているかを表す。Ｕはユーザーデータビットで、使用者が何らかの情報を搬送するために使用する。Ｃはチャンネル状態ビットで、それぞれのオーディオチャンネルに付随する情報を搬送する。Ｐはパリティビットで奇数個のエラーの検出を行うためのビットである。
【００２２】
そして、特定のビットあるいは所定のビットとして、前記ユーザーデータビットＵに識別コード、あるいは制御コードを書き込むことにより、制御部１とリモートヘッドアンプ３とで制御信号の授受を行うことができる。
【００２３】
【発明の効果】
以上のように本発明によれば、ミキシングコンソールがリモートヘッドアンプか否かを判断し、リモートヘッドアンプであるときはアナログ側で、そうでなければデジタル側で音量調整させることにより、
自動的に適切な箇所での音量調整が間違いなく行え、接続されるアナログ機器の性能を十分に発揮できるという効果を有する。
【００２４】
また、制御手段はリモートヘッドアンプでない、あるいはリモートヘッドアンプが接続されていないと判断したときには対応するリモートヘッドアンプからマイクへ供給する電源の送出を抑止する信号を与えるので、
誤作動により電源を必要としない機器に給電され、故障、破損などが生じることを防止できるという効果を有する。
【図面の簡単な説明】
【図１】  本発明にかかる入力機器制御装置の構成を示したブロック図である。
【図２】  本発明にかかる他の入力機器制御装置の構成を示したブロック図である。
【図３】  Ａ／Ｄコンバータ付リモートヘッドアンプのより詳細な構成を示した図である。
【図４】  Ａ／Ｄコンバータ付リモートヘッドアンプから送られてくる信号の実施例であるフォーマットを示した図である。
【図５】  従来例を示した図である。
【符号の説明】
１    制御部
１ａ  電源部
２    入力マトリクス
３    Ａ／Ｄコンバータ付リモートヘッドアンプ
４    Ａ／Ｄコンバータ
５    信号処理部
５１〜５ｎ  入力ユニット
６    制御線
７    給電線
【図１】
0003661110.tif 000002
【図２】
0003661110.tif 000003
【図３】
0003661110.tif 000004
【図４】
0003661110.tif 000005
【図５】
0003661110.tif 000006